(57)【要約】【課題】接続ポートやバーチャルＬＡＮタグなどのＬＡＮの知識がないと使用できなかった通信端末の優先制御を、利用者が簡単に使用できるようにする。【解決手段】データを優先的に送信したい通信端末のＭＡＣアドレスを予め登録する送信元ＭＡＣアドレステーブル２０２と、中継するデータの送信元の通信端末のＭＡＣアドレスにより送信元ＭＡＣアドレステーブル２０２を判断基準として優先制御を通信端末毎に自動的に行う優先判別部２０１とを備えたネットワーク中継装置としたものであり、優先制御が通信端末の接続ポートに依存したり、またネットワーク中継装置と通信端末の設定をしたりすること無しに優先制御を簡単に実現できる。【選択図】図２
2005260415.tif 000002
【特許請求の範囲】
【請求項１】
データを優先的に送信したい通信端末のＭＡＣアドレスを予め登録するアドレステーブルと、中継するデータの送信元の通信端末のＭＡＣアドレスにより前記アドレステーブルを判断基準として優先制御を通信端末毎に自動的に行う優先判別部とを備えたことを特徴とするネットワーク中継装置。
【請求項２】
前記通信端末のＭＡＣアドレスに代えて、ＩＰｖ６アドレスにより優先制御を自動的に行うことを特徴とする請求項１記載のネットワーク中継装置。
【請求項３】
前記ＭＡＣアドレスを前記通信端末から設定することを特徴とする請求項１記載のネットワーク中継装置。
【請求項４】
前記ＩＰｖ６アドレスを前記通信端末から設定することを特徴とする請求項２記載のネットワーク中継装置。
【発明の詳細な説明】
【技術分野】
【０００１】
本発明は、イーサネット（登録商標）スイッチやスイッチングハブ等のネットワーク中継装置に関し、より詳しくは、ネットワークに接続する通信端末のデータ優先制御技術に関する。
【背景技術】
【０００２】
図１０は従来のスイッチングハブの構成図である。
【０００３】
図１０に示すように、従来のデータ通信における優先制御では、最初にスイッチングハブ９０１がルータ９０２から端末装置９０３のＩＰ  Ｐｒｅｃｅｄｅｎｃｅ（優先制御）値と送信先ＭＡＣアドレスの情報を取得する。そして、この取得した情報をスイッチングハブ９０１のブリッジテーブル９０４に登録し、端末装置９０３に対してＩＰ  Ｐｒｅｃｅｄｅｎｃｅ値が示す優先度に応じたデータ転送を行っている（例えば、特許文献１参照）。
【０００４】
また、送信先ＭＡＣアドレスの他に、端末装置９０３が接続しているポートや、イーサネット（登録商標）フレームのバーチャルＬＡＮ（以下、「ＶＬＡＮ」と称す。）タグ等で優先制御を実現しているのもある。
【特許文献１】特開２０００−３５４０５７号公報
【発明の開示】
【発明が解決しようとする課題】
【０００５】
本発明が解決しようとする問題点は、接続ポートで優先制御を行った場合、優先制御を行う通信端末の移動ができないという点と、ＶＬＡＮタグで行う場合にはネットワーク機器と通信端末の両方にタグの設定をする必要があり、ＬＡＮの知識が必要となってくるという点にある。
【課題を解決するための手段】
【０００６】
本発明は、データを優先的に送信したい通信端末のＭＡＣアドレスを、予めネットワーク中継装置に登録しておくことで、優先制御を行う通信端末を自動的に認識し、データの送信を行うことを主要な特徴とする。
【発明の効果】
【０００７】
本発明によれば、利用者が予めネットワーク中継装置に登録されている通信端末を使用すれば、ネットワーク中継装置および通信端末の設定をすること無く優先通信端末を簡単に使用できるという利点と、ＭＡＣアドレスが通信端末の製造メーカごとに管理されていることから、製造メーカごとに優先度の設定をすることができるので自社製品は優先度を高く、他社製品は優先度を低くなどの差別化ができるという利点がある。
【発明を実施するための最良の形態】
【０００８】
本発明は、接続ポートやＶＬＡＮタグなどのＬＡＮの知識がないと使用できなかった通信端末の優先制御を、利用者が簡単に使用できるようにするために、送信元ＭＡＣアドレスで自動的に通信端末の優先度を決定し、データをその優先度に応じて送信することで実現した。
【０００９】
本願の第１の発明は、データを優先的に送信したい通信端末のＭＡＣアドレスを予め登録するアドレステーブルと、中継するデータの送信元の通信端末のＭＡＣアドレスにより
アドレステーブルを判断基準として優先制御を通信端末毎に自動的に行う優先判別部とを備えたネットワーク中継装置としたものであり、優先制御が通信端末の接続ポートに依存したり、またネットワーク中継装置と通信端末の設定をしたりすること無しに優先制御を簡単に実現できるという効果を奏する。
【００１０】
本願の第２の発明は、通信端末のＭＡＣアドレスに代えて、ＩＰｖ６アドレスにより優先制御を自動的に行うことを特徴とするネットワーク中継装置としたものであり、ＩＰｖ６通信端末に対して優先制御を自動的に行うことができるという効果を奏する。
【００１１】
本願の第３の発明は、ＭＡＣアドレスを通信端末から設定することを特徴とするネットワーク中継装置としたものであり、ネットワーク中継装置のプログラム変更無しに簡単に送信元ＭＡＣアドレスを登録できるという効果を奏する。
【００１２】
本願の第４の発明は、ＩＰｖ６アドレスを通信端末から設定することを特徴とするネットワーク中継装置としたものであり、ネットワーク中継装置のプログラム変更無しに簡単に送信元ＩＰｖ６アドレスを登録できるという効果を有するものである。
【００１３】
以下、本発明の実施の形態について、各図に基づいて説明する。
【００１４】
（実施の形態１）
図１は本発明の実施の形態１におけるイーサネット（登録商標）スイッチのブロック図である。本実施の形態ではネットワーク中継装置の代表としてイーサネット（登録商標）スイッチを用いて説明する。
【００１５】
図１において、イーサネット（登録商標）スイッチ１０１は、通信端末１０２から送信されたデータ（本実施の形態ではイーサネット（登録商標）フレーム）を受信ＭＡＣ部１０３にて受信し、イーサネット（登録商標）フレームの認識を行う。イーサネット（登録商標）スイッチ１０１は、そのイーサネット（登録商標）フレームが正しいデータならば入力データ処理部１０４にてイーサネット（登録商標）フレームのデコードと、送信先アドレスの検索を行う。その送信先アドレスは、アドレステーブル部１０５に保存されている。
【００１６】
イーサネット（登録商標）スイッチ１０１は、アドレステーブル部１０５からイーサネット（登録商標）フレームの送信先アドレスを取得すると、その宛先のポートに接続するためにスイッチファブリック部１０６にてスイッチングを行う。スイッチングによって宛先に接続されたイーサネット（登録商標）フレームは、出力データ処理部１０７にてイーサネット（登録商標）フレームの送信優先制御が行われ、送信ＭＡＣ部１０８にてイーサネット（登録商標）フレームの構築がなされた後、送信先の通信端末１０９に送信される。
【００１７】
図２は図１の出力データ処理部１０７の詳細を示すブロック図である。
【００１８】
スイッチファブリック部１０６から送信されたイーサネット（登録商標）フレームは、出力データ処理部１０７内部の優先判別部２０１にて、高優先で送信ＭＡＣ部１０８に送信するのか、低優先で送信するのかが判断される。本実施の形態では送信元ＭＡＣアドレステーブル２０２に予め登録されている送信元ＭＡＣアドレスが、優先判別部２０１においてイーサネット（登録商標）フレームを高優先か低優先かに振り分ける判断基準となる。
【００１９】
図３は送信元ＭＡＣアドレステーブル２０２の内容を示している。送信元ＭＡＣアドレ
ステーブル２０２には、予め登録されている送信元ＭＡＣアドレスとその優先度が対になって保存されている。この送信元ＭＡＣアドレステーブル２０２と優先判別部２０１によって、イーサネット（登録商標）フレームはそれぞれの優先度に応じた出力キュー２０３に保存される。送信元ＭＡＣアドレステーブル２０２に無い送信元ＭＡＣアドレスを持つイーサネット（登録商標）フレームは、低優先の出力キュー２０３に保存される（図３の例では出力キュー４）。そして、高優先の出力キュー２０３に保存されたイーサネット（登録商標）フレームは、低優先の出力キュー２０３に比べてより多く送信される。
【００２０】
以上のことにより、送信元ＭＡＣアドレステーブル２０２に登録されているＭＡＣアドレスを持つ通信端末１０２は、どのポートに接続しても優先度に応じた送信をすることができる。
【００２１】
（実施の形態２）
次に、本発明の他の実施の形態について説明する。本発明の実施の形態２におけるイーサネット（登録商標）スイッチは、図２における送信元ＭＡＣアドレステーブル２０２に代えて、送信元ＩＰｖ６（Ｉｎｔｅｒｎｅｔ  Ｐｒｏｔｏｃｏｌ  Ｖｅｒｓｉｏｎ  ６）アドレステーブル４０１を採用したものである。
【００２２】
図４は本発明の実施の形態２における出力データ処理部１０７の詳細を示すブロック図である。
【００２３】
スイッチファブリック部１０６から送信されたＩＰパケットは、出力データ処理部１０７内部の優先判別部２０１にて、高優先で送信するのか、低優先で送信するのかが判断される。本実施の形態ではその判断基準として送信元ＩＰｖ６アドレスが使用される。この判断基準となる送信元ＩＰｖ６アドレスは、予め送信元ＩＰｖ６アドレステーブル４０１に保存されている。
【００２４】
図５は送信元ＩＰｖ６アドレステーブル４０１の内容を示す図である。ＩＰｖ６アドレステーブル４０１には、予め登録されている送信元ＩＰｖ６アドレスとその優先度が対になって保存されている。優先判別部２０１は、その送信元ＩＰｖ６アドレステーブル４０１の送信元ＩＰｖ６アドレスと優先度から、該当する出力キュー２０３にＩＰパケットを送信する。送信ＩＰｖ６アドレステーブル４０１に無い送信元ＩＰｖ６アドレスを持つＩＰパケットは、低優先の出力キュー２０３に保存される（図５の例では出力キュー４）。そして、高優先の出力キュー２０３に保存されたＩＰパケットは、低優先の出力キュー２０３に比べてより多く送信される。
【００２５】
以上のことにより、送信元ＩＰｖ６アドレステーブル４０１に登録されているＩＰｖ６アドレスを持つ通信端末１０２は、どのポートに接続しても優先度に応じた送信をすることができる。
【００２６】
（実施の形態３）
次に、本発明の他の実施の形態について説明する。本発明の実施の形態３におけるイーサネット（登録商標）スイッチは、実施の形態１におけるイーサネット（登録商標）スイッチの構成要素に制御部６０１を加えたものである。
【００２７】
図６は本発明の実施の形態３におけるイーサネット（登録商標）スイッチのブロック図である。
【００２８】
実施の形態３では通信端末１０２から、新規に送信元ＭＡＣアドレスを登録する方法を説明する。
【００２９】
通信端末１０２は、ＩＰアドレス登録コマンドと登録するＭＡＣアドレスとそのＭＡＣアドレスを持つ通信端末の優先度とを、イーサネット（登録商標）フレームのデータ領域に入力し、送信先ＭＡＣアドレスには通信端末１０２のＭＡＣアドレスを入力してＭＡＣアドレス登録用イーサネット（登録商標）フレーム６０２を送信する。
【００３０】
図７は通信端末１０２から送信される送信元ＭＡＣアドレスを登録する時のイーサネット（登録商標）フレーム６０２の状態を示している。イーサネット（登録商標）スイッチ１０１の制御部６０１は、自分宛のイーサネット（登録商標）フレーム６０２を取り込み、そのデータ領域におけるＭＡＣアドレス登録コマンドから、送信元ＭＡＣアドレスを登録するコマンドであることを認識する。そして、制御部６０１は、データ領域のＭＡＣアドレスと優先度を、送信元ＭＡＣアドレステーブル２０２に登録する。以後、登録されたＭＡＣアドレスを持つ通信端末１０２は、自動的に優先制御を行うことが可能となる。
【００３１】
（実施の形態４）
次に、本発明の他の実施の形態について説明する。本発明の実施の形態４におけるイーサネット（登録商標）スイッチは、実施の形態２におけるイーサネット（登録商標）スイッチの構成要素に制御部６０１を加えたものである。
【００３２】
図８は本発明の実施の形態４におけるイーサネット（登録商標）スイッチのブロック図である。
【００３３】
実施の形態４では、通信端末１０２から、新規に送信元ＩＰｖ６アドレスを登録する方法を説明する。
【００３４】
通信端末１０２は、ＩＰアドレス登録コマンドと登録するＩＰｖ６アドレスとそのＩＰｖ６アドレスを持つ通信端末の優先度とを、ＩＰｖ６アドレス登録用イーサネット（登録商標）フレーム８０１のデータ領域に入力し、送信先ＭＡＣアドレスにはイーサネット（登録商標）スイッチ１０１のＭＡＣアドレスを入力してイーサネット（登録商標）フレーム８０１を送信する。
【００３５】
図９は本発明の実施の形態４におけるイーサネット（登録商標）フレームフォーマットを示す図を示している。イーサネット（登録商標）スイッチ１０１の制御部６０１は、自分宛のＩＰｖ６アドレス登録用イーサネット（登録商標）フレーム８０１を取り込み、そのデータ領域におけるＩＰアドレス登録コマンドから、送信元ＩＰｖ６アドレスを登録するコマンドであることを認識する。そして、制御部６０１は、データ領域のＩＰｖ６アドレスと優先度を、送信元ＩＰｖ６アドレステーブル４０１に登録する。以後、登録されたＩＰｖ６アドレスを持つ通信端末１０２は、自動的に優先制御を行うことが可能となる。
【産業上の利用可能性】
【００３６】
本発明のネットワーク中継装置は、ネットワークに接続する通信端末のデータ優先制御に有用であり、利用者がネットワーク機器、通信端末の設定をすること無く、優先制御を行う通信端末を簡単に使用できるという利点と、ＭＡＣアドレスがネットワーク機器製造メーカごとに管理されていることから、製造メーカごとに優先度の設定をすることができるので自社製品は優先度を高く、他社製品は優先度を低くなどの差別化ができるという利点がある。
【図面の簡単な説明】
【００３７】
【図１】本発明の実施の形態１におけるイーサネット（登録商標）スイッチのブロック図
【図２】図１の出力データ処理部の詳細を示すブロック図
【図３】送信元ＭＡＣアドレステーブルの内容を示す図
【図４】本発明の実施の形態２における出力データ処理部の詳細を示すブロック図
【図５】送信元ＩＰｖ６アドレステーブルの内容を示す図
【図６】本発明の実施の形態３におけるイーサネット（登録商標）スイッチのブロック図
【図７】本発明の実施の形態３におけるイーサネット（登録商標）フレームフォーマットを示す図
【図８】本発明の実施の形態４におけるイーサネット（登録商標）スイッチのブロック図
【図９】本発明の実施の形態４におけるイーサネット（登録商標）フレームフォーマットを示す図
【図１０】従来のスイッチングハブの構成図
【符号の説明】
【００３８】
１０１    イーサネット（登録商標）スイッチ
１０２    通信端末
１０３    受信ＭＡＣ部
１０４    入力データ処理部
１０５    アドレステーブル部
１０６    スイッチファブリック部
１０７    出力データ処理部
１０８    送信ＭＡＣ部
１０９    通信端末
２０１    優先判別部
２０２    送信元ＭＡＣアドレステーブル
２０３    出力キュー
４０１    送信元ＩＰｖ６アドレステーブル
６０１    制御部
６０２    ＭＡＣアドレス登録用イーサネット（登録商標）フレーム
８０１    ＩＰｖ６アドレス登録用イーサネット（登録商標）フレーム
【図１】
2005260415.tif 000003
【図２】
2005260415.tif 000004
【図３】
2005260415.tif 000005
【図４】
2005260415.tif 000006
【図５】
2005260415.tif 000007
【図６】
2005260415.tif 000008
【図７】
2005260415.tif 000009
【図８】
2005260415.tif 000010
【図９】
2005260415.tif 000011
【図１０】
2005260415.tif 000012